(57)【要約】【課題】中空柱内に侵入した雨水などを外部に排水し、中空柱の腐食を防止し得る水抜栓およびこの水抜栓を用いた水抜処理方法を提供する。【解決手段】水抜栓の雄ねじ部をその他端から中空柱の周壁の孔に挿入し、水抜ボルトの頭部の内面を中空柱の周壁の外周面に密接させナットを雄ねじ部に螺合し締め付けて、水抜栓を中空柱の周壁に固定することで、水抜孔がほぼ水平に設定され、中空柱に侵入した雨水などをほぼ完全に水抜孔から外部に排出することができる。【選択図】        図１
2010203101.tif 000002
【特許請求の範囲】
【請求項１】
立設された円筒形の中空柱の周壁に形成された孔に取り付けられ、中空柱内に侵入した水を外部に排出するための水抜栓であって、
外周面にねじが形成された円筒状の雄ねじ部の一端に鍔状に膨出して頭部が形成され、前記頭部と反対側の雄ねじ部先端から雄ねじ部を前記孔に挿入したときに、当該頭部の内面が中空柱の外周面に密接し得る形状に形成される水抜ボルトと、
この水抜ボルトの雄ねじ部に螺合するように内周面に雌ねじ部が形成され、中空柱の前記孔に挿入した水抜ボルトの頭部との間に中空柱の周壁を挟みかつ水抜ボルトの雄ねじ部に雌ねじ部を螺合させて水抜ボルトを固定するナットと
を有することを特徴とする水抜栓。
【請求項２】
前記水抜ボルトを前記孔に挿入し、前記ナットで中空柱の周壁に固定したときに、当該水抜ボルトの頭部の内面は、中空柱の円弧状に湾曲した外周面に密接するように水平方向において円弧状に形成されることを特徴とする請求項１記載の水抜栓。
【請求項３】
前記中空柱が、上部が細く下部が太く傾斜したテーパー状であり、前記水抜ボルトの頭部の内面は、前記テーパー状に形成された中空柱の傾斜した外周面に当該頭部の内面を密接させたときに当該水抜ボルトがほぼ水平に保持される角度に傾斜して形成されることを特徴とする請求項１または２記載の水抜栓。
【請求項４】
前記ナットは、内周面の孔方向の一方の側にのみ雌ねじが形成され、他方の側の内周面には前記水抜ボルトの雄ねじ部を案内するための雌ねじが形成されない挿入案内嵌合部が形成されることを特徴とする請求項１記載の水抜栓。
【請求項５】
前記ナットの雌ねじは、ナットの内周面の全円周に対して、少なくとも一部が削除されていることを特徴とする請求項４に記載の水抜栓。
【請求項６】
前記ナットの雌ねじ部は、ナットの内周面を均等に分割した少なくとも３個所に形成されていることを特徴とする請求項４または５に記載の水抜栓。
【請求項７】
前記ナットは、外周面の一部を等間隔に削り取って形成した複数の把持部を有することを特徴とする請求項１または請求項４乃至６のいずれかに記載の水抜栓。
【請求項８】
前記水抜ボルトの頭部は、当該頭部の前記内面と反対側の外面の一部の外周寄りの部分に当該頭部の所定の方向を示す印部が形成されていることを特徴とする請求項１乃至３のいずれかに記載の水抜栓。
【請求項９】
前記水抜孔は、孔径が５ｍｍから１２ｍｍの範囲内であることを特徴とする請求項１乃至３のいずれかに記載の水抜栓。
【請求項１０】
請求項１乃至９記載の水抜栓を用いた水抜処理方法であって、
水抜栓を固定する中空柱の周壁の孔の周囲にシリコンを塗布するシリコン塗布工程と、
水抜栓の水抜ボルトの雄ねじ部にシリコンを塗布してから当該雄ねじ部をその他端からシリコンの塗布された中空柱の周壁の孔に挿入する挿入工程と、
この挿入した雄ねじ部の他端に水抜栓のナットを嵌合させナットの雌ねじ部を螺合し締め付けて、水抜ボルトの頭部とナットとの間に中空柱の周壁を挟んで水抜栓を固定する固定工程と、
中空柱の内部にモルタルを投入し、水抜孔よりも上方に投入された余分のモルタルが水抜孔を閉塞しないように余分のモルタルが水抜孔から外部に流し出してからモルタルを硬化させるモルタル投入工程と、
硬化したモルタルの上方から中空柱の内部にプライマを流し入れながら、この流し入れたプライマを水抜孔から流し出し、硬化したモルタルの表面、モルタルの表面のひび割れた内部および水抜孔の露出している部分をプライマで被覆するプライマ被覆工程と
を有することを特徴とする水抜栓を用いた水抜処理方法。
【請求項１１】
請求項８記載の水抜栓を用いた水抜処理方法であって、
水抜栓を固定する中空柱の周壁の孔の周囲にシリコンを塗布するシリコン塗布工程と、
水抜栓の水抜ボルトの雄ねじ部にシリコンを塗布してから当該雄ねじ部をその他端から水抜ボルトの外面に形成された印部が所定の方向となるように合わせながらシリコンの塗布された中空柱の周壁の孔に挿入する挿入工程と、
この挿入した雄ねじ部の他端に水抜栓のナットを嵌合させナットの雌ねじ部を螺合し締め付けて、水抜ボルトの頭部とナットとの間に中空柱の周壁を挟んで水抜栓を固定する固定工程と、
中空柱の内部にモルタルを投入し、水抜孔よりも上方に投入された余分のモルタルが水抜孔を閉塞しないように余分のモルタルが水抜孔から外部に流し出してからモルタルを硬化させるモルタル投入工程と、
硬化したモルタルの上方から中空柱の内部にプライマを流し入れながら、この流し入れたプライマを水抜孔から流し出し、硬化したモルタルの表面、モルタルの表面のひび割れた内部および水抜孔の露出している部分をプライマで被覆するプライマ被覆工程と
を有することを特徴とする水抜栓を用いた水抜処理方法。
【発明の詳細な説明】
【技術分野】
【０００１】
本発明は、例えば下部が地中に埋設されて地上に立設された鋼管などからなる電柱のように上部が細く下部が太くテーパー状に形成された円筒形の中空柱の傾斜した周壁に形成された孔に取り付けられ、中空柱内に侵入した水を外部に抜くための水抜栓およびこの水抜栓を用いた水抜処理方法に関する。
【背景技術】
【０００２】
鋼管などからなる電柱、すなわち鋼管柱などの円筒形の中空柱は、地中に埋設されている下部から上方に伸び出た地上部分と地中に埋設された地中部分との境の地際が弱いものであるため、この地際を中心として中空柱内に補強用棒状部材を複数本挿入してから、この複数の補強用棒状部材の隙間に例えばモルタルなどを投入して補強している。
【０００３】
また、このような鋼管柱などの中空柱は、その上端部を蓋などで閉塞しているものであるが、完全に閉塞されているとは限らず、蓋をした隙間などから雨水などが中空柱内に侵入したり、また上端部を蓋などで閉塞しているとは限らず、このように蓋がないものは上端部から多量の雨水などが中空柱内に侵入する。更に、中空柱の外周面には足場ボルト装着用などの孔が多々設けられていることが多いが、このような孔からも雨水などが中空柱内に侵入する。
【先行技術文献】
【特許文献】
【０００４】
【特許文献１】特願２００８−２３２４８１号
【発明の概要】
【発明が解決しようとする課題】
【０００５】
上述したように、鋼管柱などの中空柱内に雨水などが侵入すると、中空柱を構成している金属が腐食し、中空柱の構造が弱くなるという問題がある。
【０００６】
また、中空柱は、上述したように、複数の補強用棒状部材を内部に挿入してから、この複数の補強用棒状部材の隙間に例えばモルタルなどを投入して補強しているが、中空柱内に雨水などが侵入すると、この雨水がモルタル内に染みこんでモルタルの間の補強用棒状部材のところまで侵入し、補強用棒状部材を腐食するという問題がある。
【０００７】
本発明は、上記に鑑みてなされたもので、その目的とするところは、中空柱内に侵入した雨水などを外部に排水し、中空柱の腐食を防止し得る水抜栓およびこの水抜栓を用いた水抜処理方法を提供することにある。
【課題を解決するための手段】
【０００８】
上記課題を達成するため、請求項１記載の水抜栓は、立設された円筒形の中空柱の周壁に形成された孔に取り付けられ、中空柱内に侵入した水を外部に排出するための水抜栓であって、外周面にねじが形成された円筒状の雄ねじ部の一端に鍔状に膨出して頭部が形成され、前記頭部と反対側の雄ねじ部先端から雄ねじ部を前記孔に挿入したときに、当該頭部の内面が中空柱の外周面に密接し得る形状に形成される水抜ボルトと、この水抜ボルトの雄ねじ部に螺合するように内周面に雌ねじ部が形成され、中空柱の前記孔に挿入した水抜ボルトの頭部との間に中空柱の周壁を挟みかつ水抜ボルトの雄ねじ部に雌ねじ部を螺合させて水抜ボルトを固定するナットとを有することを要旨とする。
【０００９】
請求項１記載の水抜栓では、雄ねじ部をその他端から中空柱の周壁の孔に挿入し、頭部の内面を中空柱の周壁の外周面に密接させてナットを雄ねじ部に螺合して締め付け、この水抜栓を中空柱の周壁にぐらつかないように固定することが出来る。これにより、中空柱に侵入した雨水などを、この水抜栓の円筒状の雄ねじ部の筒内を伝って、ほぼ完全に水抜孔から外部に排出することができ、中空柱内部の湿度を低減することができるとともに、また補強用棒状部材とともに中空柱を補強しているモルタルの間に雨水などが侵入することも防止することができる。
【００１０】
請求項２記載の水抜栓は、前記水抜ボルトを前記孔に挿入し、前記ナットで中空柱の周壁に固定したときに、当該水抜ボルトの頭部の内面は、中空柱の円弧状に湾曲した外周面に密接するように水平方向において円弧状に形成されることを要旨とする。
【００１１】
請求項２記載の水抜栓では、水抜ボルトの頭部の内面が円弧状に湾曲した中空柱の周壁の外周面に密接するように水平方向において円弧状に形成されているため、中空柱に侵入した雨水などをほぼ完全に水抜孔から外部に排出することができ、中空柱を構成している金属が腐食し、中空柱の構造が弱くなることを防止することができるとともに、また中空柱を補強している補強用棒状部材を腐食することも防止することができる。
【００１２】
請求項３記載の水抜栓は、前記中空柱が、上部が細く下部が太く傾斜したテーパー状であり、前記水抜ボルトの頭部の内面は、前記テーパー状に形成された中空柱の傾斜した外周面に当該頭部の内面を密接させたときに当該水抜ボルトがほぼ水平に保持される角度に傾斜して形成されることを要旨とする。
【００１３】
請求項３記載の水抜栓では、水抜ボルトの頭部の内面が水抜孔がほぼ水平に維持された状態において中空柱の傾斜した外周面に密接するように傾斜した角度に形成されているため、中空柱に侵入した雨水などをほぼ完全に水抜孔から外部に排出することができる。
【００１４】
請求項４記載の水抜栓は、前記ナットは、内周面の孔方向の一方の側にのみ雌ねじが形成され、他方の側の内周面には前記水抜ボルトの雄ねじ部を案内するための雌ねじが形成されない挿入案内嵌合部が形成されることを要旨とする。
【００１５】
請求項４記載の水抜栓では、ナットは内周面の一端寄りの部分には挿入案内嵌合部が雌ねじ部の前に形成され、水抜ボルトの雄ねじ部のナットへの挿入を容易にするように案内するため、水抜ボルトの雄ねじ部をナットに容易に嵌合させることができ、作業効率を著しく向上することができる。
【００１６】
請求項５記載の水抜栓は、前記ナットの雌ねじは、ナットの内周面の全円周に対して、少なくとも一部が削除されていることを要旨とする。
【００１７】
請求項５記載の水抜栓では、ナットの雌ねじがナットの内周面の全円周に形成されているのでなく、ナットの内周面上の所定の部分に非連続的に分断されて、複数の部分雌ねじ部として形成されているため、砂礫等の多い環境下においても水抜ボルトのナットに対する嵌合が良好になるとともに、ナットの構造が簡単化され、経済化を図ることができる。
【００１８】
請求項６記載の水抜栓は、前記ナットの雌ねじ部がナットの内周面を均等に分割した少なくとも３個所に形成されていることを要旨とする。
【００１９】
請求項６記載の水抜栓では、ナットの雌ねじ部がナットの内周面を均等に分割した少なくとも３個所に形成されているため、水抜ボルトのナットに対する嵌合が良好になるとともに、ナットの構造が簡単化され、経済化を図ることができる。
【００２０】
請求項７記載の水抜栓は、前記ナットが当該ナットを水抜ボルトの雄ねじ部に螺合させて締め付ける場合にナットを確実に保持して締め付け易いように外周部の一部を削り取って形成した複数の把持部を有することを要旨とする。
【００２１】
請求項７記載の水抜栓では、ナットは外周部の一部を削り取って形成した複数の把持部を有するため、ナットを水抜ボルトの雄ねじ部に螺合させて締め付ける場合にナットを確実に保持して容易に締め付けることができる。
【００２２】
請求項８記載の水抜栓は、前記水抜ボルトの頭部が当該頭部の前記内面と反対側の外面の一部の外周寄りの部分に当該頭部の所定の方向を示す印部が形成されていることを要旨とする。
【００２３】
請求項８記載の水抜栓では、水抜ボルトの頭部の外面の一部の外周寄りの部分に頭部の所定の方向を示す印部が形成されているため、この印部を所定の方向を向くように水抜ボルトを取り付けることにより、水抜孔がほぼ水平になるように設定でき、中空柱に侵入した雨水などをほぼ完全に水抜孔から外部に排出することができる。
【００２４】
請求項９記載の水抜栓は、前記水抜孔の孔径が５ｍｍから１２ｍｍの範囲内であることを要旨とする。
【００２５】
請求項９記載の水抜栓では、水抜孔の孔径が小さいため、中空柱としての電柱の比較的低い位置に水抜栓の水抜孔があっても、小児が指をいれるおそれはない。
【００２６】
請求項１０記載の水抜処理方法は、請求項１乃至９記載の水抜栓を用いた水抜処理方法であって、水抜栓を固定する中空柱の周壁の孔の周囲にシリコンを塗布するシリコン塗布工程と、水抜栓の水抜ボルトの雄ねじ部にシリコンを塗布してから当該雄ねじ部をその他端からシリコンの塗布された中空柱の周壁の孔に挿入する挿入工程と、この挿入した雄ねじ部の他端に水抜栓のナットを嵌合させナットの雌ねじ部を螺合し締め付けて、水抜ボルトの頭部とナットとの間に中空柱の周壁を挟んで水抜栓を固定する固定工程と、中空柱の内部にモルタルを投入し、水抜孔よりも上方に投入された余分のモルタルが水抜孔を閉塞しないように余分のモルタルが水抜孔から外部に流し出してからモルタルを硬化させるモルタル投入工程と、硬化したモルタルの上方から中空柱の内部にプライマを流し入れながら、この流し入れたプライマを水抜孔から流し出し、硬化したモルタルの表面、モルタルの表面のひび割れた内部および水抜孔の露出している部分をプライマで被覆するプライマ被覆工程とを有することを要旨とする。
【００２７】
請求項１０記載の水抜処理方法では、中空柱の周壁の孔の周囲にシリコンを塗布し、水抜ボルトの雄ねじ部にシリコンを塗布してから雄ねじ部を周壁の孔に挿入し、雄ねじ部にナットを嵌合させ螺合し締め付けて水抜栓を固定してから、中空柱内にモルタルを投入し、余分のモルタルを水抜孔から外部に流し出してモルタルを硬化させ、プライマを流し入れて、硬化したモルタルの表面、モルタルの表面のひび割れた内部および水抜孔の露出している部分をプライマで被覆するため、中空柱に侵入した雨水などを外部に排出することができ、中空柱を構成している金属が腐食し、中空柱の構造が弱くなることを防止することができるとともに、補強用棒状部材とともに中空柱を補強しているモルタルの間に雨水などが侵入して補強用棒状部材を腐食することも防止することができる。
【００２８】
請求項１１記載の水抜処理方法は、請求項８記載の水抜栓を用いた水抜処理方法であって、水抜栓を固定する中空柱の周壁の孔の周囲にシリコンを塗布するシリコン塗布工程と、水抜栓の水抜ボルトの雄ねじ部にシリコンを塗布してから当該雄ねじ部をその他端から水抜ボルトの外面に形成された印部が所定の方向となるように合わせながらシリコンの塗布された中空柱の周壁の孔に挿入する挿入工程と、この挿入した雄ねじ部の他端に水抜栓のナットを嵌合させナットの雌ねじ部を螺合し締め付けて、水抜ボルトの頭部とナットとの間に中空柱の周壁を挟んで水抜栓を固定する固定工程と、中空柱の内部にモルタルを投入し、水抜孔よりも上方に投入された余分のモルタルが水抜孔を閉塞しないように余分のモルタルが水抜孔から外部に流し出してからモルタルを硬化させるモルタル投入工程と、硬化したモルタルの上方から中空柱の内部にプライマを流し入れながら、この流し入れたプライマを水抜孔から流し出し、硬化したモルタルの表面、モルタルの表面のひび割れた内部および水抜孔の露出している部分をプライマで被覆するプライマ被覆工程とを有することを要旨とする。
【００２９】
請求項１１記載の水抜処理方法では、中空柱の孔の周囲にシリコンを塗布し、水抜ボルトの雄ねじ部にシリコンを塗布してから雄ねじ部を周壁の孔に印部が所定の方向となるように合わせながら挿入し、雄ねじ部にナットを嵌合させ螺合し締め付けて水抜栓を固定してから、中空柱内にモルタルを投入し、余分のモルタルを水抜孔から外部に流し出してモルタルを硬化させ、プライマを流し入れて、硬化したモルタルの表面、モルタルの表面のひび割れた内部および水抜孔の露出している部分をプライマで被覆するため、水抜孔がほぼ水平になるように設定できて、中空柱に侵入した雨水などを外部に排出することができ、中空柱を構成している金属が腐食し、中空柱の構造が弱くなることを防止することができるとともに、補強用棒状部材とともに中空柱を補強しているモルタルの間に雨水などが侵入して補強用棒状部材を腐食することも防止することができる。
【発明の効果】
【００３０】
本発明によれば、水抜栓の雄ねじ部をその他端から中空柱の周壁の孔に挿入し、頭部の内面を中空柱の周壁の外周面に密接させてナットを雄ねじ部に螺合して締め付け、水抜栓を中空柱の周壁に固定した場合、水抜孔がほぼ水平になるので、中空柱に侵入した雨水などをほぼ完全に水抜孔から外部に排出することができ、中空柱を構成している金属が腐食し、中空柱の構造が弱くなることを防止することができるとともに、また補強用棒状部材とともに中空柱を補強しているモルタルの間に雨水などが侵入して補強用棒状部材を腐食することも防止することができる。
【００３１】
また、本発明によれば、水抜栓を用いた水抜処理方法では、中空柱の周壁の孔の周囲および水抜ボルトの雄ねじ部にシリコンを塗布してから雄ねじ部を周壁の孔に挿入し、雄ねじ部にナットを嵌合させ螺合し締め付けて水抜栓を固定してから、中空柱内に投入した余分なモルタルを水抜孔から外部に流し出してモルタルを硬化させ、プライマを流し入れて、硬化したモルタルの表面、モルタルの表面のひび割れた内部および水抜孔の露出している部分をプライマで被覆するので、中空柱に侵入した雨水などを外部に排出することができ、中空柱を構成している金属が腐食し、中空柱の構造が弱くなることを防止することができるとともに、補強用棒状部材とともに中空柱を補強しているモルタルの間に雨水などが侵入して補強用棒状部材を腐食することも防止することができる。
【００３２】
本発明によれば、ナットは内周面の一端寄りの部分には挿入案内嵌合部が雌ねじ部の前に形成され、水抜ボルトの雄ねじ部のナットへの挿入を容易にするように案内するので、水抜ボルトの雄ねじ部をナットに容易に嵌合させることができ、作業効率を著しく向上することができる。
【００３３】
本発明によれば、水抜ボルトの頭部の外面の一部の外周寄りの部分に頭部の所定の方向を示す印部が形成されているので、この印部を所定の方向を向くように水抜ボルトを取り付けることにより、水抜孔がほぼ水平になるように設定でき、中空柱に侵入した雨水などをほぼ完全に水抜孔から外部に排出することができる。
【図面の簡単な説明】
【００３４】
【図１】本発明の一実施形態に係わる水抜栓を中空柱の周壁の孔に取り付けた状態で示す側面図である。
【図２】図１に示す水抜栓の水抜ボルトを前右斜めから見た示す斜視図である。
【図３】図１に示す水抜栓の水抜ボルトを後左斜めから見た示す斜視図である。
【図４】図１に示す水抜栓の水抜ボルトを真横から見た示す断面図である。
【図５】図１に示す水抜栓の水抜ボルトを真上から見た示す上面図である。
【図６】図１に示す水抜栓のナットを後左斜めから見た示す斜視図である。
【図７】図１に示す水抜栓のナットを前左斜めから見た示す斜視図である。
【図８】図１に示す水抜栓のナットを前側から見た示す正面図である。
【図９】図１に示す水抜栓のナットを後側から見た示す背面図である。
【図１０】図１に示す実施形態の水抜栓を電柱などの中空柱の周壁に形成された孔に取り付けた状態を示す図である。
【図１１】図１に示す実施形態の水抜栓を電柱などの中空柱の周壁に形成された孔に取り付けるために水抜栓の水抜ボルトと周壁の孔にシリコンを塗布した工程を示す図である。
【図１２】図１１に続いてシリコンを塗布された水抜栓の水抜ボルトを周壁の孔に嵌合させ、孔を貫通した水抜ボルトにナットを螺合させて水抜栓を周壁の孔に固定する状態を示す図である。
【図１３】中空柱の周壁の孔に水抜栓を取り付けた後、中空柱内にモルタルを投入した状態を示す図である。
【図１４】中空柱の周壁の孔に水抜栓を取り付けた後、中空柱内にモルタルを投入しつつも、このモルタルが水抜栓の水抜孔から溢れ出る状態を示す図である。
【図１５】中空柱内に投入したモルタルが硬化した後、硬化したモルタルの全表面を覆うようにモルタルの上からプライマを流し込む状態を示す図である。
【図１６】モルタルの上から流し込まれたプライマが硬化したモルタルの全表面、モルタルの表面のひび割れた内部および水抜栓の水抜孔の露出している部分などを被覆した状態を示す図である。
【発明を実施するための形態】
【００３５】
以下、図面を用いて、本発明を実施するための形態(以下、実施形態と称する)について詳細に説明する。
【００３６】
図１は、本発明の一実施形態に係わる水抜栓を中空柱の周壁の孔に取り付けた状態で示す側面図である。同図に示す水抜栓１は、中空柱３の周壁３ａに形成された孔３ｂに雄ねじ部５が挿入された水抜ボルト７とこの水抜ボルト７の雄ねじ部５に螺合するナット９とから構成される。なお、中空柱３は、図１では省略されているが、上述したように、例えば下部が地中に埋設されて地上に立設された鋼管柱などのように上部が細く下部が太くテーパー状に形成された円筒形のものであり、その周壁３ａは図１および後述する図４に示すように僅かに傾斜している。
【００３７】
図１に示す水抜栓１の水抜ボルト７は、図２乃至図５に単体で示すように、雄ねじ部５とこの雄ねじ部５の一端に鍔状に膨出して形成された頭部１１とから構成されている。この頭部１１は断面が台形状に形成され、また雄ねじ部５の外周面には、ねじ５ａが全長にわたって形成されている。そして、雄ねじ部５の先端である他端から頭部１１にわたっては水抜孔１３が貫通して形成されている。この水抜孔１３は、後述するように、中空柱３の中に侵入した雨水などを外部に抜いて自然排水するためのものである。
【００３８】
中空柱３は、上述したように、上部が細く下部が太くテーパー状に形成された円筒形のものであり、その周壁３ａは図１、４に示すように僅かに傾斜しているものであるとともに、この傾斜した周壁３ａに水抜栓１を取り付けるために形成されている孔３ｂは、中空柱３の中に侵入した雨水などを外部に排出し得るように図１、４から分かるように水平に形成されている。すなわち、この水平に形成する理由は、図１、４のように傾斜した周壁３ａに対して直角に孔３ｂを形成した場合には、この孔３ｂに水抜ボルト７を挿入すると、水抜ボルト７に形成されている水抜孔１３は、中空柱３の内側に下方が向いて傾斜することになるため、中空柱３の中に侵入した雨水などを完全に排水することができないことになる。従って、中空柱３の周壁３ａに形成される孔３ｂは、水平若しくは外周側が下側となるように形成されるのである。
【００３９】
このように中空柱３の傾斜した周壁３ａに水平に形成された孔３ｂに取り付けられる水抜ボルト７は、その雄ねじ部５も孔３ｂと合致するように水平に取り付けられ、また水抜ボルト７の雄ねじ部５の他端から頭部１１にわたって形成された水抜孔１３も同様に水平になるようになっているが、この場合において水抜ボルト７の頭部１１の内面１１ａ、すなわち図４に水抜ボルト７を真横から見た断面を示すように雄ねじ部５を周壁３aの孔３bに挿入した場合に周壁３aの外周面に接触する側の頭部１１の内面１１aは、周壁３aの傾斜した外周面に密接させたときに水抜ボルト７が水平に保持されるように周壁３aの傾斜に応じた角度に傾斜して形成されている。
【００４０】
また、図５は、水抜ボルト７を中空柱３の真上から見た上面図であるが、中空柱３は円筒形に形成されているものであるため、水抜ボルト７が取り付けられる周壁３aは断面が図５に示すように円弧状に湾曲して形成され、この円弧状に湾曲した周壁３aに形成された孔３bに挿入されて取り付けられる水抜ボルト７の頭部１１の内面１１aも周壁３aの円弧状の湾曲に合わせて円弧状に、すなわち水平方向において円弧状に形成されている。このため、水抜ボルト７を中空柱３の周壁３aの孔３bに取り付けた場合には、水抜栓１の頭部１１の内面１１aは図５に示すように中空柱３の周壁３aの外周面に密接し、ガタつかないようになっている。
【００４１】
更に、水抜ボルト７の頭部１１は、台形状の傾斜した外面の外周部に印部となる小さな突起部１１ｂが図２からよく分かるように形成されているが、この突起部１１ｂは水抜ボルト７を中空柱３の孔３ｂに取り付ける場合に水抜栓１の所定の位置または方向を示しているものである。すなわち、水抜栓１を中空柱３の孔３ｂに取り付ける場合には、この突起部１１ｂが図１、２、４に示すように右真横となるように水抜ボルト７を孔３ｂに取り付けることにより、図４、５で示した中空柱３の傾斜および円弧状の形状に水抜ボルト７の頭部１１の内面１１ａを完全に合致させることができるものである。また、図５は、中空柱３および水抜ボルト７を真上から見た図であるので、頭部１１の突起部１１ｂは、同図において下側に図示されている。なお、本実施形態では、突起部１１ｂとして印部を図示しているが、突起である必要はなく、凹部などであってもよいものであり、また本実施形態では、突起部１１ｂは、水抜ボルト７の頭部１１の台形状の傾斜した外面の外周部の最も外側の部分に形成されているが、最も外側である必要はなく、内側でもよいし、外周寄りの部分でもよいし、要は水抜ボルト７の取付位置（向き）が明確に示されればよいものである。
【００４２】
水抜栓１のナット９は、図６乃至図９に示すように、水抜ボルト７の雄ねじ部５に嵌合および螺合するようにリング状に形成される。詳細には、雄ねじ部５に螺合する雌ねじ部は、リング状のナット９の孔の内周面の全体に形成されているのでなく、孔の長さ方向の一方の側にのみ形成され、他方の側には雌ねじ部は形成されていない。
【００４３】
すなわち、図６、７から分かるように、ナット９は、水抜ボルト７の雄ねじ部５の頭部１１と反対側の先端が挿入される側の孔の内周面の一端寄りの部分には雌ねじ部が形成されず、この一端寄りの部分には水抜ボルト７の雄ねじ部５のナット９への挿入を容易にするように案内する挿入案内嵌合部１５がナット９の全周にわたって形成され、この挿入案内嵌合部１５の奥にナット９の雌ねじ部が形成される。
【００４４】
この雌ねじ部は、ナット９の内周面全面にわたって形成されているのではなく、ナット９の円周上の所定の部分に非連続的に分断されて、複数（本実施形態では３箇所）の部分がそれぞれ雌ねじ部１７として形成されている。
【００４５】
なお、このナット９の複数の部分雌ねじ部１７は、ナット９の内周面を均等に分割した位置に形成され、本実施形態のように少なくとも３個所に形成されることが望ましい。また、挿入案内嵌合部１５の内径は、水抜ボルト７の雄ねじ部５の外径より若干大であり、複数の雌ねじ部１７は、同一の形状ではなく、内周面に形成された雌ねじを部分的に削除した形状である。これにより、軍手等の作業用の手袋をした手で、中空柱内の限定された空間内の作業であっても、ナット９を水抜ボルト７の雄ねじ部５と円滑に嵌め合わせかつ螺合することが可能となっている。
【００４６】
また、ナット９は、該ナット９を水抜ボルト７の雄ねじ部５に螺合させる場合にナットを指などで確実に保持して回し易いようにナット９の外周部の一部が図６〜図９に示すように削り取られ、この削り取られた部分に把持部１９が複数（本実施形態では４か所）形成されている。
【００４７】
以上のように構成される水抜栓１は、図１０に示すように、例えば下部が地中に埋設されて地上に立設された鋼管などからなる電柱のように上部が細く下部が太くテーパー状に形成された円筒形の中空柱３の傾斜した周壁３ａに形成された孔３ｂに取り付けられるが、この中空柱３の地際は中空柱３内に補強用棒状部材９１、９３を複数本挿入してから、この複数の補強用棒状部材９１、９３の隙間に例えばモルタル９５などを投入して補強されている。
【００４８】
次に、上述した構成される本実施形態の水抜栓１を中空柱３の周壁３ａの孔３ｂに取り付けて、中空柱３の中に侵入した水を外部に抜くための水抜処理方法について説明する。
【００４９】
まず、水抜栓１を中空柱３の周壁３ａの孔３ｂに取り付けるには、図１１に示すように、周壁３ａの孔３ｂの周囲にシリコン３１を塗布する。次に、水抜栓１の水抜ボルト７の雄ねじ部５にも図１１に示すようにシリコン３３を塗布し、この雄ねじ部５をシリコン３１の塗布された中空柱３の周壁３ａの孔３ｂに挿入する。そして、このように挿入して孔３ｂから突き出た雄ねじ部５の先端にナット９の挿入案内嵌合部１５を嵌合させる。すなわち、図６、７に示すように、ナット９の内周面の部分雌ねじ部１７が形成されていない挿入案内嵌合部１５に雄ねじ部５の先端を挿入案内嵌合部１５に案内されながら雄ねじ部５の先端が部分雌ねじ部１７に当接するまで容易に嵌合させ、それからナット９を回してナット９の部分雌ねじ部１７を雄ねじ部５に螺合させてナット９を雄ねじ部５に締め付ける。ナット９を雄ねじ部５に対して強く確実に締め付けることにより、ナット９と雄ねじ部５の頭部１１との間に周壁３ａを挟んで水抜栓１が確実に固定される。
【００５０】
なお、水抜ボルト７の雄ねじ部５をシリコン３１の塗布された周壁３ａの孔３ｂに挿入する場合には、雄ねじ部５の頭部１１の外面に形成された印部である突起部１１ｂが所定の方向、すなわち突起部１１ｂが図１、２に示すように右真横となるように水抜ボルト７の雄ねじ部５を孔３ｂに取り付ける。これにより、水抜ボルト７の頭部１１の内面１１ａが中空柱３の傾斜および円弧状の形状に完全に合致するようにすることができるとともに、雄ねじ部５を貫通する水抜孔１３が水平に設定され、中空柱３の中の水を抜くことができるのである。なお、雄ねじ部５を貫通するように形成されている水抜孔１３の直径は５ｍｍ〜１５ｍｍ程度であるが、例えば小児の指などが入らないように、その孔の直径を５ｍｍ〜１０ｍｍ程度に比較的小さく形成される。
【００５１】
上述したように、中空柱３の周壁３ａの孔３ｂおよび水抜栓１の水抜ボルト７の雄ねじ部５の両方にシリコン３１、３３を塗布してから、水抜ボルト７を孔３ｂに螺合させることにより、孔３ｂの切断面などが錆びることを防止することができる。
【００５２】
以上のように水抜栓１を中空柱３の孔３ｂに取り付けた後、図１３に示すように、中空柱３の地際から約１ｍ程上方の側面に形成されている側面開口３９に閉塞板４０を取り付け、この閉塞板４０の上部に形成された開口部４１に漏斗４３の下部の細い筒口を取り付ける。そして、この漏斗４３の上部の朝顔状に広がった開口部４３ａから中空柱３の内部にモルタル４７を矢印４５で示すように投入する。
【００５３】
このように漏斗４３の開口部４３ａから中空柱３の内部に投入されたモルタル４７は、中空柱３を補強している複数の補強用棒状部材９１、９３の間に侵入し、硬化した場合にはモルタル９５として示すように複数の補強用棒状部材９１、９３とともに中空柱３の地際を補強する。
【００５４】
なお、中空柱３の内部に漏斗４３から投入されたモルタル４７は、図１４に示すように、水抜栓１の取り付けられた位置よりも上まで多く投入されるが、水抜栓１よりも上に投入されたモルタル４７は、すべて水抜栓１の水抜孔１３から中空柱３の外部に排出されてしまうので、それ以上モルタル４７を投入しても、モルタル４７は水抜栓１の水抜孔１３の所以上には増えず、モルタル４７の投入は水抜孔１３の所までいっぱいになったところで停止されるとともに、漏斗４３を取り外し、漏斗４３の取付孔を閉塞する。すなわち、中空柱３の内部に投入されたモルタル４７は、図１３に示すように、水抜栓１の水抜孔１３の所まで中空柱３内を充満し、図１４に示すように水抜孔１３より上に溢れたモルタル４７は水抜栓１の水抜孔１３から排出され、水抜栓１の水抜孔１３は、図１３に示すようにモルタル４７で塞がれず、中空柱３の中に入った水を水抜孔１３から外部に排出し得るようになっている。
【００５５】
図１３に示すように、モルタル４で水抜栓１の水抜孔１３の所まで中空柱３内を充満し、このモルタル４７が硬化した後、この硬化したモルタル４７の上にプライマを塗布して、硬化したモルタルの表面、モルタルの表面のひび割れた内部および水抜栓１の水抜孔１３の露出している部分をプライマで被覆する。
【００５６】
このプライマの塗布は、硬化したモルタル４７の上に中空柱３の上部などからプライマ５１を垂れ流すなどして、図１５に示すように、モルタル４７の全表面を覆うようにプライマ５１をモルタル４７の上に溢れさせ、この溢れたプライマ５１を水抜栓１の水抜孔１３から外部に流出される。この結果、プライマ５１は、図１６に示すように、硬化したモルタル４７の全表面を被覆するとともに、モルタルの表面のひび割れた内部および水抜栓１の水抜孔１３の露出している部分なども被覆し、中空柱３内に侵入した水がモルタル４７の表面やひび割れなどからモルタル４７の内部に侵入することを防止するとともに、水抜栓１の水抜孔１３の露出している部分が腐食することを防止することができる。
【００５７】
なお、上記説明では、中空柱として鋼管などからなる電柱を例として説明したが、本発明は、これに限定されるものでなく、任意の中空柱に適用し得るものである。
【符号の説明】
【００５８】
1  水抜栓
3  中空柱
３ａ  周壁
３ｂ  周壁の孔
５  雄ねじ部
５ａ  ねじ
７  水抜ボルト
９  ナット
１１  頭部
１１ａ  内面
１１ｂ  突起部
１３  水抜孔
１５  挿入案内嵌合部
１７  部分雌ねじ部
１９  把持部
３１、３３  シリコン
３９  側部開口
４３  漏斗
４７、９５  モルタル
５１、５３  プライマ
【図１】
2010203101.tif 000003
【図２】
2010203101.tif 000004
【図３】
2010203101.tif 000005
【図４】
2010203101.tif 000006
【図５】
2010203101.tif 000007
【図６】
2010203101.tif 000008
【図７】
2010203101.tif 000009
【図８】
2010203101.tif 000010
【図９】
2010203101.tif 000011
【図１０】
2010203101.tif 000012
【図１１】
2010203101.tif 000013
【図１２】
2010203101.tif 000014
【図１３】
2010203101.tif 000015
【図１４】
2010203101.tif 000016
【図１５】
2010203101.tif 000017
【図１６】
2010203101.tif 000018